(57)【特許請求の範囲】
【請求項１】
外部装置より制御プログラムを受取り、受取った制御プログラムに従って所定の画像処理を行なう画像処理装置であって、
前記外部装置より圧縮された圧縮データの形式で前記制御プログラムを受信する受信手段と、
前記受信手段によって制御プログラムを受信した際に、当該制御プログラムが圧縮状態を解凍して保持する必要のあるプログラムか、解凍せずに保持してよいプログラムであるかを判断する判断手段と、
前記判断手段による判断に従って、前記受信手段で受信された制御プログラムのうち解凍された制御プログラムを保持する第１の保持手段と、
前記判断手段による判断に従って、前記受信手段で受信された制御プログラムのうち圧縮データの形式での制御プログラムを保持する第２の保持手段と、
前記第２の保持手段で保持された圧縮された形式の制御プログラムを必要とする処理が指定された場合に、当該制御プログラムを解凍し前記第１の保持手段に保持させる制御手段と、
前記第１の保持手段に保持された制御プログラムを実行する実行手段と
を備えることを特徴とする画像処理装置。
【請求項２】
前記判断手段は、前記受信手段で受信された制御プログラムがメインプログラムであるかサブプログラムであるかに基づいて、メインプログラムである場合圧縮状態を解凍して保持する必要があると判断し、サブプログラムである場合解凍せずに保持してよいと判断することを特徴とする請求項１記載の画像処理装置。
【請求項３】
前記第１の保持手段はフラッシュメモリであり、前記第２の保持手段はハードディスクであることを特徴とする請求項１又は２記載の画像処理装置。
【請求項４】
前記第１の保持手段はフラッシュメモリであり、前記第２の保持手段で保持された圧縮データの形式の制御プログラムのうち、解凍実行されるプログラムは、前記受信手段で受信された制御プログラムのうち解凍された制御プログラムが保持されるフラッシュメモリ内の領域とは異なる当該フラッシュメモリ内の領域に記憶されて実行されることを特徴とする請求項１又は２に記載の画像処理装置。
【請求項５】
画像処理装置を制御する少なくともメインプログラムとサブプログラムを含む制御プログラムを、圧縮データの形式で外部装置より受信する受信手段と、
前記受信手段によって受信した制御プログラムのうち解凍された制御プログラムを保持する第１の保持手段と、
前記受信手段によって受信した制御プログラムのうち圧縮データの形式での制御プログラムを保持する第２の保持手段と、
前記受信手段によって受信した制御プログラムのうち、メインプログラムを解凍して前記第１の保持手段で保持し、サブプログラムを圧縮データの形式で前記第２の保持手段で保持するよう制御する制御手段とを有し、
前記制御手段は、前記第２の保持手段に保持されるサブプログラムを必要とする処理が要求された場合に、当該サブプログラムを解凍し、前記第１の保持手段で保持するように制御することを特徴とする画像処理装置。
【請求項６】
外部装置から入力した制御プログラムに従って所定の処理を行なう画像処理装置によって実行される当該画像処理装置の制御方法であって、
前記外部装置より圧縮された圧縮データの形式で前記制御プログラムを受信する受信工程と、
前記受信工程によって制御プログラムを受信した際に、当該制御プログラムが圧縮状態を解凍して保持する必要のあるプログラムか、解凍せずに保持してよいプログラムであるかを判断する判断工程と、
前記判断工程による判断に従って、前記受信工程で受信された制御プログラムのうち解凍された制御プログラムを第１の保持手段により保持させる第１の保持工程と、
前記判断工程による判断に従って、前記受信工程で受信された制御プログラムのうち圧縮データの形式での制御プログラムを第２の保持手段により保持させる第２の保持工程と、
前記第２の保持手段で保持された圧縮された形式の制御プログラムを必要とする処理が指定された場合に、当該制御プログラムを解凍して第１の保持手段により保持させる制御工程と、
前記第１の保持手段に保持された制御プログラムを実行する実行工程と
を備えることを特徴とする画像処理装置の制御方法。
【請求項７】
前記判断工程は、前記受信工程で受信された制御プログラムがメインプログラムであるかサブプログラムであるかに基づいて、メインプログラムである場合圧縮状態を解凍して保持する必要があると判断し、サブプログラムである場合解凍せずに保持してよいと判断することを特徴とする請求項６記載の画像処理装置の制御方法。
【請求項８】
前記第１の保持手段はフラッシュメモリであり、前記第２の保持手段はハードディスクであることを特徴とする請求項６又は７記載の画像処理装置の制御方法。
【請求項９】
前記第１の保持手段はフラッシュメモリであり、前記第２の保持手段で保持された圧縮データの形式の制御プログラムのうち、解凍実行されるプログラムは、前記受信工程において受信された制御プログラムのうち解凍された制御プログラムが保持されるフラッシュメモリ内の領域とは異なる当該フラッシュメモリ内の領域に記憶されて実行されることを特徴とする請求項６又は７に記載の画像処理装置の制御方法。
【請求項１０】
外部装置から入力された制御プログラムに従って所定の処理を行なう画像処理装置によって実行される当該画像処理装置の制御方法であって、
画像処理装置を制御する少なくともメインプログラムとサブプログラムを含む制御プログラムを、圧縮データの形式で外部装置より受信する受信工程と、
前記受信工程によって受信した制御プログラムのうち、メインプログラムを解凍して第１の保持手段で保持し、サブプログラムを圧縮データの形式で第２の保持手段で保持するよう制御する制御工程とを有し、
前記制御工程は、前記第２の保持手段に保持されるサブプログラムを必要とする処理が要求された場合に、当該サブプログラムを解凍し、前記第１の保持手段で保持するように制御することを特徴とする画像処理装置の制御方法。
【発明の詳細な説明】
【０００１】
【発明の属する技術分野】
本発明は外部装置より制御プログラムを受取り、受取った制御プログラムに従って所定の画像処理を行なう画像処理装置及び画像処理装置の制御方法に関するものである。
【０００２】
【従来の技術】
従来、複写機等の画像処理装置を制御するマイクロプロセッサの制御プログラムはホストコンピュータよりダウンロード可能に構成する例が増えてきている。これは、複写機等の制御をホストコンピュータのダウンロードするプログラムを変更するのみで、良いに変更できるからである。このダウンロードにおいては、複写機などの制御プログラムを更新するために外部のコンピュータより送られてくる圧縮された制御プログラムを複写機等で受取り、内蔵メモリ上に展開していた。
【０００３】
【発明が解決しようとする課題】
しかしながら、上記従来例では、コンピュータより転送されてきた圧縮された制御プログラムのデータを、すべて解凍して即座に実行できる形式に変換してメモリ上に展開していた。このため、頻繁には使わない機能に関する制御プログラムも常時、マイクロプロセッサのメモリに展開して記憶させており、大きなメモリ容量が必要となっている。
【０００４】
【課題を解決するための手段】
本発明は上述の課題を解決することを目的としてなされたもので、上述の課題を解決する一手段として以下の構成を備える。
【０００５】
即ち、外部装置より制御プログラムを受取り、受取った制御プログラムに従って所定の画像処理を行なう画像処理装置であって、前記外部装置より圧縮された圧縮データの形式で前記制御プログラムを受信する受信手段と、前記受信手段によって制御プログラムを受信した際に、当該制御プログラムが圧縮状態を解凍して保持する必要のあるプログラムか、解凍せずに保持してよいプログラムであるかを判断する判断手段と、前記判断手段による判断に従って、前記受信手段で受信された制御プログラムのうち解凍された制御プログラムを保持する第１の保持手段と、前記判断手段による判断に従って、前記受信手段で受信された制御プログラムのうち圧縮データの形式での制御プログラムを保持する第２の保持手段と、前記第２の保持手段で保持された圧縮された形式の制御プログラムを必要とする処理が指定された場合に、当該制御プログラムを解凍し前記第１の保持手段に保持させる制御手段と、前記第１の保持手段に保持された制御プログラムを実行する実行手段とを備えることを特徴とする。
【０００７】
また例えば、画像処理装置を制御する少なくともメインプログラムとサブプログラムを含む制御プログラムを、圧縮データの形式で外部装置より受信する受信手段と、前記受信手段によって受信した制御プログラムのうち解凍された制御プログラムを保持する第１の保持手段と、前記受信手段によって受信した制御プログラムのうち圧縮データの形式での制御プログラムを保持する第２の保持手段と、前記受信手段によって受信した制御プログラムのうち、メインプログラムを解凍して前記第１の保持手段で保持し、サブプログラムを圧縮データの形式で前記第２の保持手段で保持するよう制御する制御手段とを有し、前記制御手段は、前記第２の保持手段に保持されるサブプログラムを必要とする処理が要求された場合に、当該サブプログラムを解凍し、前記第１の保持手段で保持するように制御することを特徴とする。
【０００８】
【発明の実施の形態】
以下、図面を参照して本発明に係る発明の実施の形態の一例を詳細に説明する。以下の説明は画像処理装置としてイメージスキャナとプリンタとを有する複写機に適用した場合を例として行なう。
【０００９】
図１は本発明に係る発明の実施の形態の一例に係る画像処理装置の断面構成を示す図である。本例の図１に示す複写機は、不図示のホストコンピュータに通信媒体を介して接続されており、後述する制御に従って制御プログラムがダウンロードされる。
【００１０】
図１において、符号２０１はイメージスキャナ部であり、原稿画像をカラーで読み取り、必要なデジタル信号処理を行なう。また、２００はプリンタ部であり、イメージスキャナ部２０１にて読み取られた原稿画像に対応して画像を記録用紙上にフルカラーでプリント出力する。
【００１１】
イメージスキャナ部２０１において、原稿圧板２０２にて原稿台ガラス（プラテン）２０３上に載置された原稿２０４を、ハロゲンランプ２０５の光で照射する。この原稿２０４からの反射光はミラー２０６、２０７に導かれ、レンズ２０８により３ラインセンサ（以下、「ＣＣＤ」という。）２１０上に像を結ぶ。なお、レンズ２０８には、赤外線カットフィルタ２３１が設けられている。
【００１２】
ＣＣＤ２１０は、原稿２０４からの光情報を色分解して、フルカラー情報のレッド（Ｒ）、グリーン（Ｇ）、ブルー（Ｂ）成分を読み取った後、信号処理部２０９に送る。ＣＣＤ２１０の各色成分読み取りセンサ列は、各々が５０００画素から構成されている。これにより、原稿台ガラス２０３上に載置される原稿の中で最大サイズである、Ａ３サイズの原稿の短手方向２９７ｍｍを、４００ｄｐｉの解像度で読み取ることができる。
【００１３】
なお、ハロゲンランプ２０５、ミラー２０６は速度ｖで、また、ミラー２０７は（１／２）ｖで、ラインセンサ２１０の電気的な走査方向（以下、「主走査方向」という。）に対して垂直方向（以下、「副走査方向」という。）に機械的に動くことにより、原稿２０４の全面を走査する。
【００１４】
標準白色板２１１は、Ｒ、Ｇ、Ｂセンサ２１０での読み取りデータの補正データを発生する。この標準白色板２１１は、可視光でほぼ均一の反射特性を示し、可視では、白色の色を有している。ここでは、この標準白色板２１１を用いてＲ、Ｇ、Ｂセンサ２１０からの出力データの補正を行なう。
【００１５】
また、画像信号処理部２０９では、読み取られたＲ、Ｇ、Ｂ画像信号と、コントローラ２２７を介して入力されるホスト２２８が送られた画像信号を切り替えるとともに、入力された画像信号を電気的に処理し、マゼンタ（Ｍ）、シアン（Ｃ）、イエロー（Ｙ）ブラック（Ｂｋ）の各成分に分解する。そして、マゼンタ（Ｍ）、シアン（Ｃ）、イエロー（Ｙ）ブラック（Ｂｋ）の各成分の画像信号をプリンタ部２００に送る。
【００１６】
また、イメージスキャナ部２０１における１回の原稿走査（スキャン）につき、Ｍ、Ｃ、Ｙ、Ｂｋの各成分内の１つの成分がプリンタ部２００に送られ（面順次画像形成）、計４回の原稿走査により１枚分のプリントアウトが完成する。
【００１７】
プリンタ部２００では、画像処理されたＭ、Ｃ、Ｙ、Ｂｋの各画像信号がレーザドライバ２１２に送られる。レーザドライバ２１２は、送られてきた画像信号に応じて半導体レーザ２１３を変調駆動する。半導体レーザ２１３よりのレーザ光は、ポリゴンミラー２１４、Ｆ−θレンズ２１５、ミラー２１６を介して、感光ドラム２１７上を走査する。
【００１８】
現像器は、マゼンタ現像器２１９、シアン現像器２２０、イエロー現像器２２１、ブラック現像器２２２により構成され、これら４つの現像器が交互に感光ドラム２１７に接して、感光ドラム２１７上に形成されたＭ、Ｃ、Ｙ、Ｂｋの静電潜像を対応するトナーで現像する。
【００１９】
また、転写ドラム２２３には、用紙カセット２２４、または用紙カセット２２５より給紙された用紙が巻き付けられ、感光ドラム２１７上形成されたＭ、Ｃ、Ｙ、Ｂｋの各成分の静電潜像にトナーで現像されると感光ドラム２１７に接触して回転し、現像されたトナー像を順次用紙に転写する。
【００２０】
このようにして、Ｍ、Ｃ、Ｙ、Ｂｋの４色についてのトナー像が順次、転写された後、用紙は、定着ユニット２２６を通過して排紙される。
【００２１】
図２に以上の機構を備える本例のカラー複写機の電気的な制御部分とホストコンピュータとの接続状態を示す。
【００２２】
本例のカラー複写機３０２において、３０３は装置全体の制御を司るＣＰＵ、３０４はハードディスク装置であり、カラー画像情報などを記憶するとともに、ホストコンピュータ３０１より送られてくる圧縮制御プログラムを圧縮状態のまま記憶する。３０５は装置の実行制御プログラム等を記憶するフラッシュメモリ、３０６は各種指示入力を行なう操作部である。また、２０９は複写機で必要な各種画像処理を行なう画像信号処理部である。
【００２３】
本例においては、図２に示すホストコンピュータ３０１から制御プログラム圧縮データのダウンロードが行われる。本例では、制御プログラムはＬｅｍｐｅｌ−Ｚｉｐ法において圧縮されているものとする。なお本圧縮手法は公知の手法であり、ここでは詳述しない。
【００２４】
また、上述したフラッシュメモリ３０５は、ハードディスク３０４に記憶されている圧縮制御プログラムデータを解凍した実際に実行する制御プログラムを格納し、複写機制御を実行する不揮発性のメモリである。
【００２５】
以上の構成を備える本例においては、図３に示すようにホストコンピュータ３０１より制御プログラム圧縮データ４０１がダウンロードされ、ＣＰＵ３０３はこのダウンロードされた制御プログラムをハードディスク３０４の所定領域に格納する。
【００２６】
図４は、ホストコンピュータより送られてくる制御プログラム圧縮データ４０１と、カラー複写機３０２のメモリ部との関係を説明する図面である。図４に示すように、本例の制御プログラム圧縮データは、カラー複写機本体制御プログラム４０２と、プロジェクタ制御プログラム４０３と、サービスモード制御プログラム４０４とで構成されている。
【００２７】
カラー複写機本体制御プログラム４０２は、カラー複写機の主要機能の制御を司るプログラムで、複写機本体の制御に必須であるため、これを解凍して実行可能な形式に変換し、フラッシュメモリ３０５に格納し、実行可能とする。
【００２８】
プロジェクタ制御プログラム４０３は、オプション機能であるフィルム読み取りのためのフィルムプロジェクタを制御するプログラムであり、ハードディスク３０４に圧縮データのまま格納する。
【００２９】
サービスモード制御プログラム４０４は、機械の保守・点検に関する機能を実現するプログラムで、通常業務での複写機の運用には使わないため、ハードディスク３０４に圧縮データのまま格納する。
【００３０】
なお、フラッシュメモリ３０５には、このカラー複写機本体制御プログラムの格納領域４０５とは別個に、ハードディスク３０４の中に格納されている圧縮プログラムの展開・実行領域４０６が割り振られている。
【００３１】
ホストコンピュータ３０１より送られてくる制御プログラム圧縮データは、図５に示す構成となっている。即ち、まず最初に、以後に続く制御プログラムの圧縮データの総ファイル数ｎを示す領域５０１が割り当てられている。続いて最初の制御プログラム（ファイル１のプログラム）のサイズ情報領域５０２、このファイルのプログラムがメインプログラムであるか、即ち、圧縮状態を解凍してフラッシュメモリ３０５に格納する必要のあるプログラムであるか、サブプログラムであり、解凍せずにハードディスク３０４に格納して良いプログラムであるかを示すメイン／サブフラグ領域５０３、及び圧縮データ領域５０４で構成されている。続いて再び次の制御プログラムのサイズ情報領域、メイン／サブフラグ領域、圧縮データ領域が送られてくる制御プログラムの数だけ連続している。
【００３２】
図６は、ホストコンピュータ３０１より送られてきた、制御プログラム圧縮データの解凍・格納を行なう、本例の複写機のＣＰＵ３０３の動作を説明する図面である。
【００３３】
本例の複写機のＣＰＵ３０３は、ホストコンピュータ３０１より制御プログラム圧縮データが送られてくると、ステップＳ１で送られてきた制御プログラム圧縮データの内容を図５に示すフォーマットに従ってチェックし、メイン／サブフラグ６０３のコードがメイン指定であるか或はサブ指定であるかを調べる。メインあればステップＳ２に進み、サブ指定であればステップＳ３処理を行なう。
【００３４】
ステップＳ２においては、受取った制御プログラム圧縮データを解凍し、フラッシュメモリ３０５に図４に示すように展開する。そしてステップＳ４に進む。一方、ステップＳ３においては受取った圧縮プログラムデータを、圧縮された状態のまま、ハードディスク３０４に図４に示すように格納する。
【００３５】
ステップＳ４においては、６０１で指定されているフィルタ数だけ処理が終わったか否かを判断し、処理が終了していなければステップＳ１に戻り、次の制御プログラムに対する処理を行なう。６０１で指定されているフィルタ数だけの処理が終了した場合には当該処理を終了する。
【００３６】
図７は、プロジェクタ制御、またはサービスモード制御を行なう際におけるＣＰＵ３０３の制御プログラムに関する処理を説明するフローチャートである。
【００３７】
ホストコンピュータ３０１より、或は操作部３０６よりプロジェクタ制御、またはサービスモード制御を実行すべきとの指令があった場合には、ＣＰＵ３０３は図７に示す動作を行なう。
【００３８】
本例の複写機３０２は、ステップＳ７０１においてメイン制御プログラム（カラー複写機本体制御プログラム）に基づく通常処理を実行している。この場合において、例えば、操作部３０６等よりプロジェクタ動作を指定された場合には、ステップＳ７０１の処理よりステップＳ７０２の処理に移行し、ハードディスク３０４に格納された、プロジェクタ制御プログラム圧縮データ４０７を解凍し、圧縮プログラム展開・実行領域４０６に展開する。そして、この解凍したプログラムを実行可能としてステップＳ７０１に戻り、動作中にこのプロジェクタ制御プログラムの実行の必要が生じた場合にはこの解凍した制御プログラムを実行して要求に答える。
【００３９】
一方、サービスモード動作を指定された場合にはステップＳ７０１よりステップＳ７０４に進み、ハードディスク３０４に格納されたサービスモード制御プログラム圧縮データ４０８を解凍し、圧縮プログラム展開・実行領域４０６に展開する。そして、この解凍したプログラムを実行可能としてステップＳ７０１に戻り、動作中にこのプロジェクタ制御プログラムの実行の必要が生じた場合にはこの解凍した制御プログラムを実行して要求に答える。
【００４０】
以上説明したように本例によれば、転送される制御プログラム圧縮データを解凍して、メモリに展開する部分と、圧縮データのまま保存し、必要に応じて解凍・実行する部分を区分し成就使用しない制御プログラム部分を圧縮データのまま大容量記憶装置であるハードディスクに格納しておき、必要な時点で解凍して実行可能とすることにより、複写機の実行プログラム格納領域を少なくでき、メモリ容量を節約することができるのである。
【００４１】
（発明の実施の形態の第２の例）
以下に本発明に係る発明の実施の形態の第２の例を説明する。第２の例においても、複写機の基本構成は上述した第１の例と全く同様である。図８に本発明に係る発明の実施の形態の第２の例におけるホストコンピュータより送られてくる制御プログラム圧縮データ４０１と、カラー複写機３０２のメモリ部との関係を示す。
【００４２】
第２の例においても、ホストコンピュータ３０１よりの圧縮制御プログラムデータの構成は上述した第１の例の図５に示す構成と同様である。そして、上述した第１の例では、制御プログラム圧縮データはハードディスク３０４に格納していたが、第２の例においてはフラッシュメモリとして第１の例と同様のフラッシュメモリ３０５ａと、圧縮データを格納するためのフラッシュメモリ領域３０５ｂとを備える構成とする。
【００４３】
そして、フラッシュメモリ３０５ｂに図８に８０７、８０８で示すようにホストコンピュータ３０１よりの制御プログラム圧縮データを全て格納する。この場合でも、圧縮プログラムのファイル数が多い場合は、フラッシュメモリ容量の削減効果が期待できる。
【００４４】
（本発明に係る発明の実施の形態の第３の例）
以下に本発明に係る発明の実施の形態の第３の例を説明する。第３の例においても、複写機の基本構成は上述した第１の例と全く同様である。図９に本発明に係る発明の実施の形態の第３の例におけるホストコンピュータより送られてくる制御プログラム圧縮データ４０１と、カラー複写機３０２のメモリ部との関係を示す。
【００４５】
第２の例においても、ホストコンピュータ３０１よりの圧縮制御プログラムデータの構成は上述した第１の例の図５に示す構成と同様である。第３の例においては、図９に示すように複数ヶ国の操作部に対応する制御プログラムをダウンロードし、各国語対応の操作部制御プログラムを圧縮された形式で、二次記憶装置であるハードディスク３０４に格納しておく。
【００４６】
そして、操作部からの指定により、所望の国対応操作部プログラムを選択して解凍し、フラッシュメモリ３０５に展開して実行させる。図９の例では英語対応操作部プログラムが解凍され、実行可能に準備されている。
【００４７】
以上の様に第３の例によれば、メモリを節約しながら、各国語対応の操作部を切り変える事が可能になる。
【００４８】
（他の実施形態）
なお、本発明は、複数の機器（例えばホストコンピュータ，インタフェイス機器，リーダ，プリンタなど）から構成されるシステムに適用しても、一つの機器からなる装置（例えば、複写機，ファクシミリ装置など）に適用してもよい。
【００４９】
また、本発明の目的は、前述した実施形態の機能を実現するソフトウェアのプログラムコードを記録した記憶媒体を、システムあるいは装置に供給し、そのシステムあるいは装置のコンピュータ（またはＣＰＵやＭＰＵ）が記憶媒体に格納されたプログラムコードを読出し実行することによっても、達成されることは言うまでもない。
【００５０】
この場合、記憶媒体から読出されたプログラムコード自体が前述した実施形態の機能を実現することになり、そのプログラムコードを記憶した記憶媒体は本発明を構成することになる。
【００５１】
プログラムコードを供給するための記憶媒体としては、例えば、フロッピディスク，ハードディスク，光ディスク，光磁気ディスク，ＣＤ−ＲＯＭ，ＣＤ−Ｒ，磁気テープ，不揮発性のメモリカード，ＲＯＭなどを用いることができる。
【００５２】
また、コンピュータが読出したプログラムコードを実行することにより、前述した実施形態の機能が実現されるだけでなく、そのプログラムコードの指示に基づき、コンピュータ上で稼働しているＯＳ（オペレーティングシステム）などが実際の処理の一部または全部を行い、その処理によって前述した実施形態の機能が実現される場合も含まれることは言うまでもない。
【００５３】
さらに、記憶媒体から読出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵなどが実際の処理の一部または全部を行い、その処理によって前述した実施形態の機能が実現される場合も含まれることは言うまでもない。
【００５４】
本発明を上記記憶媒体に適用する場合、その記憶媒体には、先に説明したフローチャートに対応するプログラムコードを格納することになるが、簡単に説明すると、図４、８、９、のメモリマップ例に示す各モジュールを記憶媒体に格納することになる。
【００５５】
【発明の効果】
以上説明したように本発明によれば、外部より画像処理装置にダウンロードされた制御プログラムを、制御プログラムを解凍してメモリに展開する部分と、圧縮データのまま保存し必要に応じて解凍・実行する部分を区分する事により、制御プログラムを格納するメモリのメモリ容量を節約する事が可能となる。
【００５６】
【図面の簡単な説明】
【図１】本発明に係る発明の実施の形態の一例の画像処理装置の断面構成を示す図である。
【図２】本例のカラー複写機の電気的な制御部分とホストコンピュータとの接続状態を示す図である。
【図３】本例におけるホストコンピュータからカラー複写機への制御プログラム圧縮データのダウンロード例を示す図である。
【図４】本例における制御プログラム圧縮データとカラー複写機のメモリ部との関係を示す図である。
【図５】本例におけるホストコンピュータより送られてくる制御プログラム圧縮データの構成を示す図である。
【図６】本例の複写機における制御プログラム圧縮データの解凍・格納を行なう動作を説明する図である。
【図７】本例の複写機におけるプロジェクタ制御又はサービスモード制御を行なう際の制御プログラムに関する処理を説明する図である。
【図８】本発明に係る発明の実施の形態の第２の例の制御プログラム圧縮データとカラー複写機のメモリ部との関係を示す図である。
【図９】本発明に係る発明の実施の形態の第３の例の制御プログラム圧縮データとカラー複写機のメモリ部との関係を示す図である。
【符号の説明】
２０９  画像信号処理部
３０２    カラー複写機
３０３    ＣＰＵ
３０４    ハードディスク装置
３０５    フラッシュメモリ
３０６    操作部
【図１】
0003652002.tif 000002
【図２】
0003652002.tif 000003
【図３】
0003652002.tif 000004
【図４】
0003652002.tif 000005
【図５】
0003652002.tif 000006
【図６】
0003652002.tif 000007
【図７】
0003652002.tif 000008
【図８】
0003652002.tif 000009
【図９】
0003652002.tif 000010